(57)【要約】【課題】ユーザーの利便性を向上する。【解決手段】画像が表示される表示画面５を備える表示装置１において、表示画面５の向きを変動可能な状態で、表示画面５が支持され、表示画面５の向きを検出する方向検出部１０ａと、方向検出部１０ａによって検出された表示画面５の向きに基づいて、表示画面５の表示態様を、照明用の表示態様に切り替える制御部１０と、を備えるようにした。【選択図】図２
2010145763.tif 000002
【特許請求の範囲】
【請求項１】
画像が表示される表示画面を備える表示装置において、
前記表示画面の向きを変動可能な状態で、前記表示画面が支持され、
前記表示画面の向きを検出する方向検出部と、前記方向検出部によって検出された前記表示画面の向きに基づいて、前記表示画面の表示態様を、照明用の表示態様に切り替える表示制御部と、を備えること、を特徴とする表示装置。
【請求項２】
前記表示制御部は、前記方向検出部によって前記表示画面の向きが下向きであることが検出された場合、前記表示画面の表示態様を、照明用の表示態様に切り替えること、を特徴とする請求項１に記載の表示装置。
【請求項３】
ユーザーの眼の位置を検出する眼部位置検出部をさらに備え、
前記表示制御部は、前記方向検出部によって検出された前記表示画面の向き、及び、前記眼部位置検出部によって検出された前記ユーザーの眼の位置に基づいて、前記表示画面の表示態様を、照明用の表示態様に切り替えること、を特徴とする請求項１に記載の表示装置。
【請求項４】
前記表示画面は、ユーザーが着座する座席の近傍に配置され、
前記座席に着座した前記ユーザーによって前記表示画面の向きを変動可能であること、を特徴とする請求項１乃至３のいずれかに記載の表示装置。
【請求項５】
前記ユーザーが前記座席に着座していないことを検出する離席検出部をさらに備え、
前記表示制御部は、前記離席検出部によって前記ユーザーが前記座席に着座していないことが検出された場合、前記表示画面の表示を停止すること、を特徴とする請求項４に記載の表示装置。
【請求項６】
ユーザーが睡眠中であることを検出する睡眠状態検出部をさらに備え、
前記表示制御部は、前記睡眠状態検出部によって前記ユーザーの睡眠が検出された場合、前記表示画面の表示を停止すること、を特徴とする請求項１乃至５のいずれかに記載の表示装置。
【請求項７】
画像が表示される表示画面を備える表示装置の制御方法であって、
前記表示画面の向きを変動可能な状態で、前記表示画面が支持され、
前記表示画面の向きを検出し、検出した前記表示画面の向きに基づいて、前記表示画面の表示態様を、照明用の表示態様に切り替えること、を特徴とする表示装置の制御方法。
【発明の詳細な説明】
【技術分野】
【０００１】
本発明は、画像が表示される表示画面を備える表示装置、及び、この表示装置の制御方法に関する。
【背景技術】
【０００２】
従来、画像を表示画面に表示する表示装置において、表示画面の向きに応じてこの画面に表示されている画像が変わる表示装置が知られている（例えば、特許文献１参照）。
【特許文献１】特開２００６−３４３４１９号公報
【発明の開示】
【発明が解決しようとする課題】
【０００３】
特許文献１に記載の表示装置のように表示画面の向きに応じて画面に表示されている画像が変わる表示装置においては、その画面の向きに応じて画面に表示されている画像が変わるという特性を活かして、ユーザーの利便性をさらに向上したいとするニーズがある。
本発明は、上述した事情に鑑みてなされたものであり、ユーザーの利便性を向上した表示装置、及び、表示装置の制御方法を提供することを目的とする。
【課題を解決するための手段】
【０００４】
上記目的を達成するために、本発明は、画像が表示される表示画面を備える表示装置において、前記表示画面の向きを変動可能な状態で、前記表示画面が支持され、前記表示画面の向きを検出する方向検出部と、前記方向検出部によって検出された前記表示画面の向きに基づいて、前記表示画面の表示態様を、照明用の表示態様に切り替える表示制御部と、を備えること、を特徴とする。
この構成によれば、表示画面の向きに応じて表示画面の表示態様が照明用の表示態様に、自動で、切り替わるため、表示画面の向きを変更する、という容易かつ単純な作業で表示画面の表示態様を照明用の表示態様に切り替えることができ、ユーザーの利便性が向上する。
さらにこの構成によれば、表示画面の向きに応じて表示装置が照明として機能するため、表示装置の表示画面を視ていない場合に使用する照明を、表示装置とは別に設ける必要がなくなり、別途照明を設ける場合と比較して、省スペース化、低コスト化を図ることができ、これに応じてユーザーの利便性も向上する。
【０００５】
ここで、上記発明の表示装置において、前記表示制御部は、前記方向検出部によって前記表示画面の向きが下向きであることが検出された場合、前記表示画面の表示態様を、照明用の表示態様に切り替えるようにしてもよい。
表示装置を照明として使用する場合、一般の照明器具と同様、照明用の表示態様となった表示画面を下向きにして使用することが多いと考えられる。そして、上記構成によれば、表示画面の向きが下向きとなった場合、自動で、表示画面の表示態様が照明用の表示態様に切り替わるためユーザーの利便性を向上することができる。
【０００６】
また、上記発明の表示装置において、ユーザーの眼の位置を検出する眼部位置検出部をさらに備え、前記表示制御部は、前記方向検出部によって検出された前記表示画面の向き、及び、前記眼部位置検出部によって検出された前記ユーザーの眼の位置に基づいて、前記表示画面の表示態様を、照明用の表示態様に切り替えるようにしてもよい。
この構成によれば、ユーザーの眼と、表示画面の向きとの関係を反映して、好適に、表示画面の表示態様を照明用の表示態様に切り替えることができる。
【０００７】
また、上記発明の表示装置において、前記表示画面は、ユーザーが着座する座席の近傍に配置され、前記座席に着座した前記ユーザーによって前記表示画面の向きを変動可能であるようにしてもよい。
この構成によれば、座席に着座したユーザーが、座った状態で表示画面の向きを変動することにより、表示画面の表示態様を照明用の表示態様に変更することができ、ユーザーの利便性が向上する。
【０００８】
また、上記発明の表示装置において、前記ユーザーが前記座席に着座していないことを検出する離席検出部をさらに備え、前記表示制御部は、前記離席検出部によって前記ユーザーが前記座席に着座していないことが検出された場合、前記表示画面の表示を停止するようにしてもよい。
この構成によれば、ユーザーが座席に着座しておらず、従って座席の近傍に配置された表示装置を使用していない可能性が高い場合は、自動で、表示画面の表示が停止されるため、省エネルギー化を図ることができる。
【０００９】
また、上記発明の表示装置において、ユーザーが睡眠中であることを検出する睡眠状態検出部をさらに備え、前記表示制御部は、前記睡眠状態検出部によって前記ユーザーの睡眠が検出された場合、前記表示画面の表示を停止するようにしてもよい。
この構成によれば、ユーザーが睡眠中に表示画面に照明用の表示態様に係る表示も含めた表示がなされることを防止でき、省エネルギー化を図ることができる。特に、表示画面が照明用の表示態様の場合、表示画面の輝度が高く、ユーザーの睡眠を妨げる可能性があるが、上記構成によれば、これを防止することができる。
【００１０】
また、上記目的を達成するために、本発明は、画像が表示される表示画面を備える表示装置の制御方法であって、前記表示画面の向きを変動可能な状態で、前記表示画面が支持され、前記表示画面の向きを検出し、検出した前記表示画面の向きに基づいて、前記表示画面の表示態様を、照明用の表示態様に切り替えること、を特徴とする。
この制御方法によれば、表示画面の向きに応じて表示画面の表示態様が照明用の表示態様に、自動で、切り替わるため、表示画面の向きを変更する、という容易かつ単純な作業で表示画面の表示態様を照明用の表示態様に切り替えることができ、ユーザーの利便性が向上する。さらにこの構成によれば、表示画面の向きに応じて表示装置が照明として機能するため、表示装置の表示画面を視ていない場合に使用する照明を、表示装置とは別に設ける必要がなくなり、別途照明を設ける場合と比較して、省スペース化、低コスト化を図ることができ、これに伴いユーザーの利便性も向上する。
【発明の効果】
【００１１】
本発明によれば、表示画面の向きに応じて、自動で、表示画面が照明用の表示態様となるため、ユーザーの利便性を向上できる。
【発明を実施するための最良の形態】
【００１２】
以下、図面を参照して本発明の実施の形態について説明する。
＜第１実施形態＞
図１は、本実施形態に係る表示装置１の使用態様の一例を示す図である。
表示装置１は、表示画面５を備え、この表示画面５にテレビ放送に係る画像などの各種画像を表示する。
図１に示すように、表示装置１は、ユーザーが着座可能なリクライニングシート２（座席）にフレキシブルチューブ３を介して支持されている。このフレキシブルチューブ３は、リクライニングシート２に対する表示装置１の位置を所定の範囲内で変動可能な状態で、表示装置１を支持する。フレキシブルチューブ３の基端３ａは、リクライニングシート２においてリクライニングシート２に着座したユーザーの背中部分に対応する位置に設けられた背もたれ部４の上部に接続されるとともに、その先端３ｂは、表示装置１と接続されている。表示装置１は、リクライニングシート２に着座したユーザーによって把持可能な位置に配置されており、ユーザーは、リクライニングシート２に着座した状態で、表示装置１を把持し、把持した表示装置１の位置を変動することにより、自身にとって最適な向きに表示画面５が向くように、表示装置１を配置することができる。
また、図１に示すように、リクライニングシート２の前方には、リクライニングシート２に着座したユーザーを撮影するカメラ装置６設けられている。カメラ装置６については、後述する。
【００１３】
図２は、表示装置１の機能的構成を示すブロック図である。
図２に示すように、表示装置１は、制御部１０（表示制御部）と、テレビ放送受信部１１と、ディスク再生部１２と、タッチパネル１３と、音声出力部１４と、表示部１５と、角度検出センサー１６と、シートスイッチ１７と、記憶部１８と、インターフェイス部１９と、を備えている。
制御部１０は、表示装置１の各部を中枢的に制御するものであり、演算実行部としてのＣＰＵや、このＣＰＵに実行される基本制御プログラムや、この基本制御プログラムに係るデータ等を不揮発的に記憶するＲＯＭ、ＣＰＵに実行されるプログラムやこのプログラムに係るデータ等を一時的に記憶するＲＡＭ、その他の周辺回路等を備えている。制御部１０は、方向検出部１０ａと、離席検出部１０ｂと、睡眠状態検出部１０ｃと、を備えているが、これらについては後述する。
テレビ放送受信部１１は、テレビチューナーを備え、制御部１０の制御の下、アンテナを介して受信したテレビ放送信号から所定の放送チャンネルに係るテレビ映像信号や、テレビ音声信号などを取得して、これら信号を制御部１０に出力する。
【００１４】
ディスク再生部１２は、ＤＶＤや、ＣＤ、ＭＤなどのディスク型記録媒体に記録されたデータを読み取り、読み取ったデータに係る映像信号や、音声信号などを制御部１０に出力する。
タッチパネル１３は、表示画面５に重ねて配設され、ユーザーによるタッチ操作、及び、タッチ操作された操作位置を検出し、検出した操作位置を示す信号を制御部１０に出力する。
音声出力部１４は、スピーカーに接続されており、デジタル音声信号をアナログ音声信号に変換するＤ／Ａコンバータや、制御部１０の制御の下、音量レベルを変更するヴォリューム、アナログ音声信号を増幅するアンプ等を内蔵し、制御部１０から入力されるデジタル音声信号に係る音声を、制御部１０により指定された音量によってスピーカーから出力する。
【００１５】
表示部１５は、有機ＥＬパネルからなる表示画面５を備え、表示画面５に、制御部１０の制御の下、制御部１０から入力される映像信号に係る画像を表示する。また、本実施形態に係る表示部１５は、制御部１０の制御の下、表示画面５の表示態様を後述する照明用の表示態様となるよう、制御する。
ここで、有機ＥＬパネルは、バックライトを必要とせず、かつ、２枚のガラス基板によって液晶を挟み込む液晶表示パネルと異なり、基板が１枚で済み、液晶表示パネルと比較して、軽量、かつ、薄型に形成することが可能である。このため、表示画面５を有機ＥＬパネルによって構成することにより、表示装置１の軽量化かつ薄型化を図ることができる。上述したように、表示装置１は、フレキシブルチューブ３によってリクライニングシート２に支持されているが、表示装置１の軽量化を実現することにより、フレキシブルチューブ３にかかる負荷を軽減することができ、所望の表示画面５の向きを維持した状態でフレキシブルチューブ３によって確実に表示装置１を支持できるようになる。さらに、フレキシブルチューブ３の構造の単純化、及び、この単純化に伴うコストダウンを図ることができる。さらに、表示装置１の軽量化、及び、薄型化を実現することにより、リクライニングシート２に着座するユーザーによって、表示装置１が把持しやすく、かつ、把持した後にその位置を変動しやすくすることができ、ユーザーの利便性を向上することができる。
【００１６】
本実施形態では、表示画面５の表示態様として、テレビ放送に係る画像や、ディスク型記録媒体に記録されたデータに係る画像を表示する表示態様のほか、照明用の表示態様がある。
照明用の表示態様とは、表示画面５に、表示画面５を照明として使用できるような表示がなされている表示態様をいう。表示画面５の表示態様が照明用の表示態様である場合、ユーザーは、表示装置１を照明として使用することができる。照明用の表示態様としては、例えば、表示画面５全体に輝度の高い白色を表示した状態がある。具体的には、表示画面５を構成する有機ＥＬパネルのカラー化方式が３色方式であり、表示画面５の各画素における赤色、青色、緑色の３色に対応する発光素子のカラー深度が８ビットである場合、全ての画素における３色の発光素子のカラー深度を（赤色、青色、緑色）＝（２５５、２５５、２５５）として、輝度の高い白色を表示する。
【００１７】
角度検出センサー１６は、表示装置１の内部に設けられ、表示装置１の角度変化を検出するジャイロセンサーを備え、ジャイロセンサーが検出した角度変化を示す信号を制御部１０に出力する。ジャイロセンサーは、３次元直交座標系における各軸の角度変化を検出可能なセンサーであるとともに、後述する制御部１０の方向検出部１０ａが、ジャイロセンサーの検出値に基づいて、少なくとも、表示画面５の向きが鉛直方向下向きであることを検出できるような状態で、表示装置１の内部に設けられている。
シートスイッチ１７は、ユーザーがリクライニングシート２に着座しているか否かを検出するためのスイッチであり、具体的には、着座状態で乗員の体重により押圧されてオンとなるスイッチ型センサーである。後述する離席検出部１０ｂは、シートスイッチ１７がオンかオフかに基づいて、ユーザーが着席しているか離席しているかを検出する。
記憶部１８は、磁気的、光学的記録媒体や、半導体記憶素子などを用いた記録装置を備え、各種データを記憶する。
インターフェイス部１９は、信号伝送ケーブルなどを介してカメラ装置６に接続され、制御部１０の制御の下、カメラ装置６との間で各種信号を送受信する。
【００１８】
カメラ装置６は、ＣＣＤイメージセンサーやＣＭＯＳイメージセンサー等の撮像素子、撮影レンズ群、ズームやフォーカス等の調整を行うためにレンズ群を駆動するレンズ駆動部などを備え、撮影を実行する撮影部と、この撮影部を制御する撮影制御部と、を備えている。撮影制御部は、撮影部が備える撮像素子から出力されるデータを所定形式のデータに変換し、撮影画像データとして表示装置１の制御部１０に出力する。
このカメラ装置６は、例えば広角カメラを備え、少なくともリクライニングシート２に着座したユーザーの身体の全体を撮影できる位置に配置されている。
【００１９】
次いで、制御部１０が備える方向検出部１０ａ、離席検出部１０ｂ、及び、睡眠状態検出部１０ｃについて説明する。なお、これら方向検出部１０ａ、離席検出部１０ｂ、及び、睡眠状態検出部１０ｃの機能は、ＣＰＵがＲＯＭに記憶されたプログラムを実行するなど、ソフトウェアとハードウェアの協働によって実現される。
方向検出部１０ａは、角度検出センサー１６の検出値に基づいて、表示画面５の向きを検出する。例えば、方向検出部１０ａは、角度検出センサー１６の検出値に基づいて、表示画面５の向きが鉛直方向下向きであることを検出する。
離席検出部１０ｂは、シートスイッチ１７がオンかオフかに基づいて、ユーザーがリクライニングシート２に着座しているか否かを検出する。すなわち、離席検出部１０ｂは、シートスイッチ１７がオンの場合、リクライニングシート２にユーザーが着座していることを検出し、シートスイッチ１７がオフの場合、リクライニングシート２にユーザーが離席していることを検出する。
【００２０】
睡眠状態検出部１０ｃは、ユーザーが睡眠中であるか否かを検出する。例えば、睡眠状態検出部１０ｃは、カメラ装置６から入力された撮影画像データのサンプリングを行い、サンプリングした撮影画像データを分析し、この撮影画像データに写っているユーザーの顔の位置を示す顔領域を検出するとともに、検出した顔領域からユーザーの眼の位置を示す眼領域を検出する。顔領域の検出や、眼領域の検出は、顔や眼を表すテンプレートを用いたパターンマッチングなどの既存の技術を用いることができる。さらに、睡眠状態検出部１０ｃは、検出した眼領域に対応する画像データを分析し、ユーザーが睡眠中であるか否かを検出する。例えば、睡眠状態検出部１０ｃは、眼を閉じた状態のテンプレートを用いたパターンマッチングや、白色検出による白目部分の検出などにより、ユーザーが眼を閉じていることを検出するとともに、眼領域を追跡し、ユーザーが眼を閉じている時間が所定の時間を超えた場合、ユーザーが睡眠中であると判別する。
【００２１】
図３は、表示装置１の動作を示すフローチャートである。
まず、表示装置１の制御部１０は、離席検出部１０ｂの検出値に基づいて、ユーザーがリクライニングシート２に着座しているか否かを判別する（ステップＳＡ１）。ユーザーがリクライニングシート２に着座していない場合（ステップＳＡ１：ＮＯ）、制御部１０は、表示画面５の表示を停止する（ステップＳＡ２）。これは、離席中のユーザーは、表示画面５を視認していない可能性が高く、ユーザーが離席中に表示画面５に画像を表示させてもエネルギーの無駄使いであり、表示画面５の表示を停止することによって省エネルギー化を図るためである。
ステップＳＡ１において、ユーザーがリクライニングシート２に着座している場合（ステップＳＡ１：ＹＥＳ）、制御部１０は、睡眠状態検出部１０ｃの検出値に基づいて、ユーザーが睡眠中であるか否かを判別する（ステップＳＡ３）。ユーザーが睡眠中である場合（ステップＳＡ３：ＹＥＳ）、制御部１０は、表示画面５の表示を停止する（ステップＳＡ２）。これは、ユーザーが睡眠中に表示画面５に画像を表示させてもエネルギーの無駄使いであり、表示画面５の表示を停止することによって省エネルギー化を図るためである。特に、表示画面５が照明用の表示態様の場合、表示画面５の輝度が高く、ユーザーの睡眠を妨げる可能性があるが、本実施形態によれば、これを防止することができる。
【００２２】
ステップＳＡ３において、ユーザーが睡眠中ではない場合（ステップＳＡ３：ＮＯ）、制御部１０は、方向検出部１０ａの検出値に基づいて、表示画面５の向きが下向きか否かを判別する（ステップＳＡ４）。下向きではない場合（ステップＳＡ４：ＮＯ）、制御部１０は、表示画面５に所定の画像を表示する（ステップＳＡ５）。ここで、所定の画像とは、照明用の表示態様以外の表示態様に係る画像のことであり、例えば、ユーザーがタッチパネル１３を操作して予め指定したテレビ放送に係る画像や、ディスク型記録媒体に記録されたデータに係る画像である。その後、制御部１０は、処理手順をステップＳＡ１へ戻す。
一方、ステップＳＡ４において、表示画面５の向きが下向きである場合、制御部１０は、表示画面５の表示態様を照明用の表示態様へと切り替え（ステップＳＡ６）、処理手順をステップＳＡ１へ戻す。
このように、本実施形態では、表示画面５の向きが下向きとなった場合に、表示画面５の表示態様を照明用の表示態様とし、表示画面５の向きが下向き以外の場合は、表示画面５に所定の画像を表示する。ここで、表示装置１を照明として使用する場合、一般の照明器具と同様、照明用の表示態様となった表示画面５を下向きにして使用することが多いと考えられる。そして、上記のように、表示画面５の向きが下向きとなった場合、自動で、表示画面５の表示態様が照明用の表示態様に切り替えることにより、ユーザーの利便性を向上することができる。
【００２３】
本実施形態に係る表示装置１は、以下のような態様でリクライニングシート２に着座したユーザーによって利用される。
テレビ放送に係る画像などを表示装置１で視たいと思った場合、ユーザーは、リクライニングシート２に着座した状態で、表示装置１を把持し、把持した表示装置１の位置を変動することにより、自身にとって最適な向き、すなわち、画像が最も視やすい向きに、表示画面５が向くように表示装置１を配置する。その後、タッチパネル１３を操作して表示画面５に所望の画像を表示し、リクライニングシート２に着座したまま、画像を視る。
ここで、表示画面５に表示された画像を視ているユーザーが、気分転換その他の理由により、読書を開始したいと思ったとする。この場合、本実施形態では、ユーザーが、リクライニングシート２に座った状態のまま、表示画面５の向きを下向きにするという、容易、かつ、単純な動作を行うだけで、テレビ放送に係る画像などの表示が自動で停止され、表示画面５の表示態様が照明用の表示態様に切り替わる。これにより、表示画面５にテレビ放送に係る画像などが表示されることに起因して読書に対する集中力が妨げられることが防止されるとともに、読書のための照明が提供される。
すなわち、本実施形態では、ユーザーが表示画面５に表示された画像を視るのをやめて、読書などの何らかの作業を行う場合、表示画面５の向きを下向きにするという、容易、かつ、単純な１つの動作で、視ていた画像を停止し、かつ、作業のための照明を点けることができ、ユーザーの利便性が向上する。さらに、表示装置１が、照明として機能することができるため、照明を別に設ける必要がなく、コストダウンを図ることができる。
【００２４】
以上説明したように、本実施形態に係る表示装置１は、画像が表示される表示画面５を備え、表示画面５の向きを変動可能な状態で、フレキシブルチューブ３を介して表示画面５が支持され、表示画面５の向きを検出する方向検出部１０ａと、方向検出部１０ａによって検出された表示画面５の向きに基づいて、表示画面５の表示態様を、照明用の表示態様に切り替える制御部１０と、を備えている。
この構成により、表示画面５の向きに応じて表示画面５の表示態様が照明用の表示態様に、自動で、切り替わるため、表示画面５の向きを変更する、という容易かつ単純な作業で表示画面５の表示態様を照明用の表示態様に切り替えることができ、ユーザーの利便性が向上する。
さらにこの構成によれば、表示画面５の向きに応じて表示装置１が照明として機能するため、表示装置１の表示画面５を視ていない場合に使用する照明を、表示装置１とは別に設ける必要がなくなり、別途照明を設ける場合と比較して、省スペース化、低コスト化を図ることができ、これに応じてユーザーの利便性も向上する。
【００２５】
また、本実施形態では、制御部１０は、方向検出部１０ａによって表示画面５の向きが下向きであることが検出された場合、表示画面５の表示態様を、照明用の表示態様に切り替える。
ここで、表示装置１を照明として使用する場合、一般の照明器具と同様、照明用の表示態様となった表示画面５を下向きにして使用することが多いと考えられる。そして、上記構成によれば、表示画面５の向きが下向きとなった場合、自動で、表示画面５の表示態様が照明用の表示態様に切り替わるためユーザーの利便性を向上することができる。
【００２６】
また、本実施形態では、表示画面５を備える表示装置１は、ユーザーが着座するリクライニングシート２の近傍に配置され、リクライニングシート２に着座したユーザーによって表示画面５の向きが変動可能である。
このため、リクライニングシート２に着座したユーザーが、座った状態で表示画面５の向きを変動することにより、表示画面５の表示態様を照明用の表示態様に変更することができ、ユーザーの利便性が向上する。
【００２７】
また、本実施形態では、ユーザーがリクライニングシート２に着座していないことを検出可能な離席検出部１０ｂをさらに備え、制御部１０は、離席検出部１０ｂによってユーザーがリクライニングシート２に着座していないことが検出された場合、表示画面５の表示を停止する。
このため、ユーザーがリクライニングシート２に着座しておらず、従ってリクライニングシート２の近傍に配置された表示装置１を使用していない可能性が高い場合は、自動で、表示画面５の表示が停止され、省エネルギー化を図ることができる。
【００２８】
また、本実施形態では、ユーザーが睡眠中であることを検出可能な睡眠状態検出部１０ｃを備え、制御部１０は、睡眠状態検出部１０ｃによってユーザーの睡眠が検出された場合、表示画面５の表示を停止する。
このため、ユーザーが睡眠中に表示画面５に照明用の表示態様に係る表示も含めた表示がなされることを防止でき、省エネルギー化を図ることができる。特に、表示画面５が照明用の表示態様の場合、表示画面５の輝度が高く、ユーザーの睡眠を妨げる可能性があるが、上記構成によれば、これを防止することができる。
【００２９】
＜第２実施形態＞
次いで、第２実施形態について、図４を用いて説明する。
図４は、第２実施形態に係る表示装置１の機能的構成を示すブロック図である。
本実施形態では、第１実施形態と異なり、制御部１０が、眼部位置検出部１０ｄを備えている。
眼部位置検出部１０ｄは、ユーザーの眼の位置を検出するものである。具体的には、眼部位置検出部１０ｄは、例えば上述した睡眠状態検出部１０ｃで説明した方法と同様の方法によって、カメラ装置６から入力された撮影画像データから、ユーザーの眼を検出し、検出した眼の領域を特定する。
【００３０】
上述した第１実施形態では、表示画面５の向きが下向きである場合に、制御部１０は、表示画面５の表示態様を、照明用の表示態様に切り替えていたが、本実施形態では、制御部１０は、ユーザーの眼の位置、及び、表示画面５の向きに基づいて、表示画面５の表示態様を、照明用の表示態様に切り替える。
一例として、予め、記憶部１８に、撮影画像データにおける眼領域の位置を示すデータＤ１と、表示画面５の向きを示すデータＤ２と、データＤ１が示す位置に眼領域が存在する場合であって、データＤ２が示す向きに表示画面５が向いている場合に、表示画面５の表示態様を照明用の表示態様に切り替えるか否かを示すデータＤ３と、を対応づけて記憶したテーブルを記憶する。そして、制御部１０は、一定時間ごとに、眼部位置検出部１０ｄの検出値に基づいて現在の撮影画像データにおける眼領域の位置を検出するとともに、方向検出部１０ａの検出値に基づいて表示画面５の向きを検出し、検出した検出した眼領域の位置、及び、表示画面５の向きに基づいて、上記テーブルを参照し、表示画面５の表示態様を照明用の表示態様に切り替えるか否かを判別し、適宜、表示態様を切り替える。
【００３１】
以上説明したように、本実施形態では、ユーザーの眼の位置を検出する眼部位置検出部１０ｄを備え、制御部１０は、方向検出部１０ａによって検出された表示画面５の向き、及び、眼部位置検出部１０ｄによって検出されたユーザーの眼の位置に基づいて、表示画面５の表示態様を、照明用の表示態様に切り替える。
このため、ユーザーの眼と、表示画面５の向きとの関係を反映して、好適に、表示画面５の表示態様を照明用の表示態様に切り替えることができる。
これにより、例えば、ユーザーによって表示画面５が視認できない状態の場合は、表示画面５の表示態様を、照明用の表示態様に切り替えたり、また、ユーザーによって表示画面５が視認できない状態であって、表示画面５がユーザーの眼の位置よりも下に向かっている場合は、表示画面５の表示態様を、照明用の表示態様に切り替えたりする表示制御が可能となる。
【００３２】
なお、上述した実施の形態は、あくまでも本発明の一態様を示すものであり、本発明の範囲内で任意に変形および応用が可能である。
例えば、上述した実施形態に係る表示装置１では、制御部１０が、表示画面５の表示態様を制御していたが、例えば、表示装置１には画面に画像を表示する機能だけを持たせ、表示装置１を制御する中央制御装置を別に設けるようにしてもよい。そして、この中央制御装置が、表示画面５に対する表示制御のほか、上述した方向検出部１０ａや、離席検出部１０ｂ、睡眠状態検出部１０ｃなどの各機能を備えるようにしてもよい。
また、上述した実施形態では、リクライニングシート２に支持された表示装置１を例にして説明したが、表示装置１が用いられる態様はこれに限らない。例えば、歯科医業を行う病院において、歯の治療を行う際に用いてもよい。具体的には、歯の治療を行うべく、患者の口に対し表示画面５を向けた場合は、照明用の表示態様に切り替わって、患者の口を照らし、一方、患者屋の口に対して表示画面５が向けられていない場合は、患者のカルテに係る情報などを表示して、医者の治療の補助をするようにしてもよい。
【図面の簡単な説明】
【００３３】
【図１】本実施形態に係る表示装置の使用態様の一例を示す図である。
【図２】表示装置の機能的構成を示すブロック図である。
【図３】表示装置の動作を示すフローチャートである。
【図４】第２実施形態に係る表示装置の機能的構成を示すブロック図である。
【符号の説明】
【００３４】
１…表示装置、２…リクライニングシート（座席）、５…表示画面、１０…制御部（表示制御部）、１０ａ…方向検出部、１０ｂ…離席検出部、１０ｃ…睡眠状態検出部、１０ｄ…眼部位置検出部。
【図１】
2010145763.tif 000003
【図２】
2010145763.tif 000004
【図３】
2010145763.tif 000005
【図４】
2010145763.tif 000006